(57)【要約】【課題】  冷凍の麺類を乾燥させることがなく、あるいは、反対にふやけさせることなく冷凍麺類を解凍でき、かつ、解凍と麺類のつゆを同時に調理することができる容器を提供する。【解決手段】  第一容器２と、第一容器２の内部に収納される第二容器３と、蓋４とを有し、第一容器２は調理対象の麺類のつゆあるいは前記麺類を解凍するための水分を貯留する内部空間を有し、第二容器３は前記麺類を収納する内部空間を有し、底壁に水蒸気を流通させられる複数の開口部８を有し、第二容器３はその底面が麺つゆや解凍用水分１１の液面１１ａより高くなるように、第一容器２によって支承されている。【選択図】  図３
2006051088.tif 000002
【特許請求の範囲】
【請求項１】
第一の容器と、前記第一の容器の内部に収納される第二の容器と、蓋とを有し、
前記第一の容器は、調理対象の麺類のつゆあるいは前記麺類を解凍するための水分を貯留する内部空間を有し、
前記第二の容器は、前記麺類を収納する内部空間を有し、底壁に水蒸気を流通させられる複数の開口部を有し、
前記第二の容器は、その底面が前記第一の容器に貯留される調理対象麺類のつゆあるいは前記麺類を解凍するための水分の液面より高くなるように、前記第一の容器によって支承されていることを特徴とする冷凍麺類を電子レンジで調理するための容器。
【請求項２】
前記第二の容器は、その上端開口部の周縁部が前記第一の容器の上端開口部の周縁部に係合することにより、前記第一の容器によって支承されていることを特徴とする請求項１記載の冷凍麺類を電子レンジで調理するための容器。
【請求項３】
前記蓋は、前記第二の容器の上端開口部に嵌合し、前記第二の容器の上端開口部の周縁部と前記蓋が、前記第一の容器の開口部を密封することなく覆い塞ぐことを特徴とする請求項２に記載の冷凍麺類を電子レンジで調理するための容器。
【請求項４】
前記第一の容器はその側壁に内方に突出する係合部を有し、前記第二の容器は、前記第一の容器の係合部と係合する係合部を有し、
前記第二の容器は、前記第一の容器の係合部と前記第二の容器の係合部との係合により、前記第一の容器によって支承されていることを特徴とする請求項１記載の冷凍麺類を電子レンジで調理するための容器。
【請求項５】
前記第二の容器は、その底部から伸長した脚部が前記第一の容器の底壁に当接することにより、前記第一の容器によって支承されていることを特徴とする請求項１に記載の冷凍麺類を電子レンジで調理するための容器。
【請求項６】
前記蓋は、前記第一の容器の開口部を密封することなく前記第一の容器の開口部に嵌合する蓋からなることを特徴とする請求項１又は５に記載の冷凍麺類を電子レンジで調理するための容器。
【請求項７】
前記蓋は前記第二の容器の開口部に嵌合する蓋からなり、前記蓋または前記第二の容器は、前記第一の容器の開口部の周縁部と係合し前記第一の容器と前記蓋または前記第二容器の間の隙間を塞ぐ鍔状突起を有していることを特徴とする請求項１または５に記載の冷凍麺類を電子レンジで調理するための容器。
【発明の詳細な説明】
【技術分野】
【０００１】
本発明は、電子レンジで冷凍麺類を調理するための容器に関する。
【０００２】
特に、本発明は、冷凍の麺類を電子レンジで解凍し、解凍する際に、麺類がのびた状態になったり、あるいは、反対に麺類が乾燥した状態になったりせずに、解凍と調理とを同時に行うことができる容器に関する。
【０００３】
なお、本発明の容器の材料は合成樹脂に限られないが、合成樹脂製容器を好適に使用することができるので、以下の説明では合成樹脂製容器を念頭に説明する。
【背景技術】
【０００４】
冷凍食品を電子レンジで解凍することは広く行われている。
【０００５】
本願発明が対象とする冷凍麺類についても、電子レンジで解凍することは広く行われている。
【０００６】
冷凍麺類を電子レンジで解凍する方法として、冷凍麺類を容器に入れて電子レンジに入れ、電子レンジのマイクロ波によって冷凍麺類を解凍する方法と、冷凍麺類を水や湯の中に入れ、水や湯ごと冷凍麺類を加熱して解凍する方法とがある。
【０００７】
冷凍麺類を直接電子レンジのマイクロ波で加熱する場合は、氷がマイクロ波では発熱しないため、冷凍麺類の内部では発熱せず、最初は冷凍麺類の表面の溶けた水分がマイクロ波で発熱され、その熱によって徐々に冷凍麺類の内部の氷が溶けるというメカニズムで解凍が進む。
【０００８】
一方、冷凍麺類を水や湯の中に入れて電子レンジで加熱する場合は、水や湯が電子レンジで加熱され、その熱が冷凍麺類の内部に浸透して、氷が溶けるというメカニズムで解凍される。
【０００９】
先行技術文献
本願発明は、冷凍麺類の解凍と調理に特化し、本願発明者が独自に考案したものである。本願出願人が知る限り、従来において、本願発明の先行技術を示す文献は存在しない。
【発明の開示】
【発明が解決しようとする課題】
【００１０】
しかし、上記従来の冷凍麺類の解凍方法は、冷凍麺類を水等に入れて解凍する場合も、水等に入れないで解凍する場合も、いずれも不具合があった。
【００１１】
冷凍麺類を容器等に入れ、電子レンジのマイクロ波で直接加熱する場合は、上述したように、氷がマイクロ波では発熱しないため、冷凍麺類の内部では発熱せず、最初は冷凍麺類の表面の溶けた水分がマイクロ波で発熱し、その熱によって徐々に冷凍麺類の内部の氷が溶けることによって解凍される。
【００１２】
このように、冷凍麺類の表面から氷が溶け、その水分の発熱によって徐々に冷凍麺類の内部の氷が溶けるので、解凍するまでには時間がかかることになる。
【００１３】
その間に、麺類の表面の水分は蒸発し続け、冷凍麺類の解凍が完了するまでに、麺類の表面が乾燥し、麺類の風味を損なうことが避けられなかった。
【００１４】
これに対して、乾燥を防ぐために、上述した残る一方の方法のように冷凍麺類を水等に入れて解凍する方法が考えられる。
【００１５】
しかし、冷凍麺類を水等に入れて解凍すると、冷たい冷凍麺類が水等の内部に浸かっているために、水等の温度の上昇が遅く、長時間麺類が水等に浸かっていることになる。
【００１６】
これにより、麺類がふやけたり、のびたりしてやはり風味を損なうことが避けられなかった。
【００１７】
上述した冷凍麺類を水等に入れて解凍する場合において、冷凍麺類を合成樹脂製パックに入れた上で水等に入れることが考えられる。
【００１８】
しかし、この場合には、解凍と調理を同時に行うことができなかった。
【００１９】
すなわち、合成樹脂製パックを加熱した水を、合成樹脂製パックを煮沸した湯ということへの心理的な抵抗のため、そのまま麺類のつゆに用いることができなかった。
【００２０】
このため、解凍後に改めてつゆを加熱する手間がかかり、きわめて不便であった。
【００２１】
そこで、本発明が解決しようとする課題は、冷凍の麺類を乾燥させることがなく、あるいは、反対にふやけさせることなく冷凍麺類を解凍でき、かつ、解凍と麺類のつゆを同時に調理することができる容器を提供することにある。
【課題を解決するための手段】
【００２２】
本発明に係る冷凍麺類を電子レンジで調理するための容器は、
第一の容器と、前記第一の容器の内部に収納される第二の容器と、蓋とを有し、
前記第一の容器は、調理対象の麺類のつゆあるいは前記麺類を解凍するための水分を貯留する内部空間を有し、
前記第二の容器は、前記麺類を収納する内部空間を有し、底壁に水蒸気を流通させられる複数の開口部を有し、
前記第二の容器は、その底面が前記第一の容器に貯留される調理対象麺類のつゆあるいは前記麺類を解凍するための水分の液面より高くなるように、前記第一の容器によって支承されていることを特徴とするものである。
【００２３】
前記第二の容器は、その上端開口部の周縁部が前記第一の容器の上端開口部の周縁部に係合することにより、前記第一の容器によって支承されているようにすることができる。
【００２４】
前記蓋は、前記第二の容器の上端開口部に嵌合し、前記第二の容器の上端開口部の周縁部と前記蓋が、前記第一の容器の開口部を密封することなく覆い塞ぐようにすることができる。
【００２５】
前記第一の容器はその側壁に内方に突出する係合部を有し、前記第二の容器は、前記第一の容器の係合部と係合する係合部を有し、
前記第二の容器は、前記第一の容器の係合部と前記第二の容器の係合部との係合により、前記第一の容器によって支承されているようにすることができる。
【００２６】
前記第二の容器は、その底部から伸長した脚部が前記第一の容器の底壁に当接することにより、前記第一の容器によって支承されているようにすることができる。
【００２７】
前記蓋は、前記第一の容器の開口部を密封することなく前記第一の容器の開口部に嵌合する蓋からなるようにすることができる。
【００２８】
前記蓋は前記第二の容器の開口部に嵌合する蓋からなり、前記蓋または前記第二の容器は、前記第一の容器の開口部の周縁部と係合し前記第一の容器と前記蓋または前記第二容器の間の隙間を塞ぐ鍔状突起を有しているようにすることができる。
【発明の効果】
【００２９】
本発明によれば、冷凍麺類の解凍をしている間に、水蒸気によって冷凍麺類の表面に水分が補給されるので、麺類の表面が乾燥して風味を損なうことがない。
【００３０】
また、本発明では、冷凍麺類を水や湯に入れて電子レンジで加熱することがないので、麺類が水に長い時間浸かっていることによって麺類がふやけたりのびたりすることがない。
【００３１】
さらに、本発明に拠れば、冷凍麺類の解凍と同時に麺つゆや解凍用水分の加熱を行うので、解凍が完了すると、麺類と麺つゆを合わせるだけで料理が完了する。すなわち、本発明によれば、冷凍麺類の解凍と調理とを同時に行うことができる調理容器を得ることができる。
【発明を実施するための最良の形態】
【００３２】
以下に本発明の実施の形態について説明する。
【００３３】
図１は本発明の１実施形態による「冷凍麺類を電子レンジで調理するための容器」を分解して示した図である。
【００３４】
本実施形態による容器１は、容器の本体をなす第一容器２と、第一容器２の内部に収納される第二容器３と、蓋４とを有している。
【００３５】
第一容器２と第二容器３と蓋４は、ともに電子レンジで加熱されることに耐えられる合成樹脂材料等によって製造される。
【００３６】
第一容器２は、その内部に、調理対象の麺類のつゆ、あるいは、冷凍麺類を解凍するための水分を貯留することができる内部空間を有している。つまり、第一容器２はその底壁と側壁によって液体を保持できるようになっている。
【００３７】
本実施形態の第一容器２は、その上端が開口部５になっており、その上端開口部５の周縁部は、側壁から折り返されるようにして、環状嵌合部６になっている。
【００３８】
第二容器３は、底壁と側壁を有し、上端が上端開口部７になっており、全体として第一容器２の内部に収納されるようになっている。
【００３９】
第二容器３の底壁には、複数の開口部８が設けられている。
【００４０】
本実施形態における第二容器３は、側壁が上端部で折り返されるように形成され、前記第一容器２の環状嵌合部６上に係合する環状嵌合部９になっている。
【００４１】
蓋４は、その周縁部がコの字状に形成され、第二容器３の環状嵌合部９と嵌合する環状嵌合部１０になっている。
【００４２】
蓋４は、水蒸気が抜ける小孔を有していてもよいし、小孔を有していなくてもよい。
【００４３】
図２は、上記容器１を組み立てた状態を示している。
【００４４】
図２に示すように、第二容器３は第一容器２の内部に収容され、第一容器２の上に蓋４が被さっている。
【００４５】
第一容器２の環状嵌合部６の上に、第二容器３の環状嵌合部９が係合し、第二容器３の環状嵌合部９の上に、蓋４の環状嵌合部１０が密封状態で嵌合している。
【００４６】
図３は、使用状態における容器１の縦断面を示している。
【００４７】
図３に示すように、使用状態では、第一容器２の底部に調理対象の麺類のつゆ１１、あるいは、解凍用の水分１１を入れ、第二容器３に冷凍の麺類１２を入れて第二容器３を第一容器２の内部に入れ、第二容器３上に蓋４をかぶせている。
【００４８】
麺類は、うどん、そば、ラーメン等が含まれるが、これらに限られない。
【００４９】
解凍用水分１１というのは、水、湯のいずれをも含み、解凍で熱せられた後に、つゆの素を入れてつゆを作る場合の水や湯も含む。
【００５０】
本実施形態は、「第二容器の上端開口部の周縁部が第一容器の上端開口部の周縁部に係合し、蓋が第二容器の上端開口部に嵌合し、第二容器の上端開口部の周縁部と前記蓋が第一容器の開口部を密封することなく覆い塞ぐ」実施形態である。
【００５１】
図３に示すように、本実施形態では、第一容器２の環状嵌合部６がコの字状に折り返され、開口部の周縁頂部はある程度の幅を有している。
【００５２】
第二容器３の環状嵌合部９は、側壁の上端部が折り返されているが、段部を有し、開口部の周縁頂部は第一容器２の環状嵌合部６に比して狭い幅を有し、折り返された先端部は第一容器２の環状嵌合部６の外周上部に係合するように相対的に広い幅になっている。すなわち、第二容器３の環状嵌合部９と第一容器２の環状嵌合部６は密封しない状態で互いに係合している。
【００５３】
蓋４の環状嵌合部１０は同じくコの字状に折り返されており、第一容器２の環状嵌合部９の上端部（比較的幅が狭い部分）にぴたり嵌合するようになっている。
【００５４】
以上の環状嵌合部６と環状嵌合部９と環状嵌合部１０の構成により、第二容器３について見れば、その上端開口部７の周縁部が第一容器２の上端開口部５の周縁部に係合することにより、第一容器２によって支承されている状態になる。
【００５５】
また、第一容器２の上端開口部５を塞ぐことについて見れば、第二容器３の上端開口部７の周縁部と蓋４の双方が、協働して第一容器２の開口部５を密封することなく覆い塞ぐことになっている。
【００５６】
なお、第一容器２の環状嵌合部６と第二容器３の環状嵌合部９を密封状態で嵌合させ、蓋４に通気口を設けるようにしてもよい。この場合も「第二容器３の上端開口部７の周縁部と蓋４が、第一容器２の開口部５を密封することなく覆い塞ぐ」に含まれる。
【００５７】
第二容器３は、その底面が第一容器２に貯留された調理対象麺類のつゆ１１、あるいは、麺類を解凍するための水分１１の液面１１ａより高くなるように、第一容器２によって支承されている。
【００５８】
図３の状態で、容器１を電子レンジに入れ、マイクロ波で加熱すると、冷凍麺類１２を解凍するとともに、図３に示すように、麺つゆや解凍用水分１１の温度が上がり、その水蒸気１３が第二容器３の開口部８を通って第二容器３内に流入し、冷凍麺類１２を暖めるとともに冷凍麺類１２の表面に水分を補給する。
【００５９】
これにより、冷凍麺類１２の表面に水分が補給され、乾燥することが防止される。さらに、水蒸気１３によって冷凍麺類１２の解凍が促進される。
【００６０】
第一容器２の内部に充満した水蒸気１３は、第一容器２の環状嵌合部６と第二容器３の環状嵌合部９の間を通って、外部に流出する。これにより、第一容器２の内部の圧力が過度に上昇することが防止される。
【００６１】
所定の時間電子レンジで加熱することにより、冷凍麺類１２の解凍が完了し、同時に、麺つゆや解凍用水分１１は沸騰または沸騰に近い状態になる。
【００６２】
そこで、麺類１２を食器に移し、麺つゆ１１や解凍用水分１１につゆの素をいれた麺つゆを該食器に入れるだけで、麺類の調理が完了する。
【００６３】
本発明によれば、冷凍麺類１２の解凍をしている間に、水蒸気によって冷凍麺類１２の表面に水分が補給されるので、麺類の表面が乾燥して風味を損なうことがない。また、本発明では、冷凍麺類１２を水等に入れて加熱することがないので、麺類が水に長い時間浸かっていることによって麺類がふやけたりのびたりすることがない。
【００６４】
さらに、冷凍麺類１２の解凍と同時に麺つゆや解凍用水分１１の加熱を行うので、解凍が完了すると、麺類と麺つゆを合わせるだけで料理が完了する。
【００６５】
以上は本発明の第一の実施形態についての説明であったが、第二容器が第一容器によって支承される形態、および、蓋の形態によって種々の実施形態があり得る。
【００６６】
以下にそれらの本発明の他の実施形態に説明する。
【００６７】
図４は、本発明の第二の実施形態による容器１４を示している。図４において、図３と同一の部分については同一の符号を付して重複する説明を省略する。
【００６８】
本実施形態の容器１４は、第一実施形態と同様に第一容器２と第二容器３と蓋４とからなる。
【００６９】
ただし、本実施形態では、第一容器２は、上端開口部の周縁部に内側に突出する段部１５を有している。
【００７０】
そして、第二容器３は、その上端開口部の周縁部に、前記段部１５と係合する鍔部１６を有している。
【００７１】
この段部１５と鍔部１６の係合により、「第二容器は、その上端開口部の周縁部が第一容器の上端開口部の周縁部に係合することにより、第一容器によって支承」される状態になっている。
【００７２】
本実施形態の蓋４は、直接第一容器２の環状嵌合部６と密封状態にならないように緩く嵌合している。
【００７３】
すなわち、本実施形態では、「蓋が第一容器の開口部を密封することなく第一容器の開口部に嵌合」している。
【００７４】
なお、第一容器２の環状嵌合部６と蓋４の環状嵌合部１０とを密封状態で嵌合させ、蓋４に通気口を設けるようにしてもよい。この場合も「蓋が第一容器の開口部を密封することなく第一容器の開口部に嵌合している」場合に含まれる。
【００７５】
本実施形態においても、第二容器３が、その底面が第一容器２に貯留される麺つゆや解凍用水分１１の液面１１ａより高くなるように、第一容器２によって支承されているという本発明の特徴的構成を有している。
【００７６】
本実施形態は、第二容器３が第一容器２によって支承される態様と、蓋４の態様が第一実施形態と相違する他は、第一実施形態と同様の構成を有し、麺類の風味を損なうことなく麺類を解凍でき、解凍完了と同時に料理が完成する本発明の特有の作用効果を奏することができる。
【００７７】
図５は、上記本発明の第二実施形態の変形例を示している。
【００７８】
図５の本発明の第二実施形態の変形例による容器１４’を示している。
【００７９】
本第２実施形態の変形例による容器１４’は、第二容器３が第一容器２によって支承される部分が、第一容器２や第二容器３の「上端開口部の周縁部」ではなく、第一容器２や第二容器３の「側壁の一部」にある。
【００８０】
図５に示すように、本変形例の容器１４’では、第一容器２の側壁に、内方に突出する段部２４を有している。
【００８１】
一方、前記段部２４に対応する位置の第二容器３の側壁に、前記段部２４に係合する段部２５が設けられている。
【００８２】
段部２４，２５は、第一容器２や第二容器３の上端開口部からやや離れたそれぞれの容器の側壁の途中に設けられている。
【００８３】
段部２４と段部２５の係合により、第二容器３は第一容器２によって支承されている。
【００８４】
なお、係合部は段部に限られない。また、係合部は、側壁に全周的に設けなくてもよい。たとえば、第一容器２と第二容器３の側壁の一部に互いに係合する突起物、あるいは、爪状のもの設けるようにしてもよい。
【００８５】
また、前記第二容器３の係合部は、特別な段部や突起や凹部を設ける代わりに、第二容器３の側壁と底壁のコーナー部を係合部としてもよい。
【００８６】
たとえば、第一容器２の側壁に図５のような段部２４を設け、第二容器３の側壁と底壁のコーナー部（角部）を該段部２４と係合させるようにしてもよい。
【００８７】
次に、本発明の第三の実施形態について説明する。
【００８８】
図６は、本発明の第三の実施形態による容器１７を示している。図６において、図３と同一の部分については同一の符号を付して重複する説明を省略する。
【００８９】
本実施形態の容器１７は、第一実施形態と同様に第一容器２と第二容器３と蓋４とからなる。
【００９０】
ただし、本実施形態では、第二容器３は、その底部から伸長した脚部１８が第一容器２の底壁に当接することにより、第一容器２によって支承されるようになっている。
【００９１】
本実施形態の蓋４は、直接第一容器２の環状嵌合部６と密封状態にならないように緩く嵌合している。
【００９２】
すなわち、本実施形態では、「蓋が第一容器の開口部を密封することなく第一容器の開口部に嵌合」している。
【００９３】
なお、第一容器２の環状嵌合部６と蓋４の環状嵌合部１０とを密封状態で嵌合させ、蓋４に通気口を設けるようにしてもよい。この場合も「蓋が第一容器の開口部を密封することなく第一容器の開口部に嵌合している」場合に含まれる。
【００９４】
本実施形態においても、第二容器３が、その底面が第一容器２に貯留される麺つゆや解凍用水分１１の液面１１ａより高くなるように、第一容器２によって支承されているという本発明の特徴的構成を有している。
【００９５】
本実施形態は、第二容器３が脚部１８を介して第一容器２によって支承される態様と、蓋４の態様が第一実施形態と相違する他は、第一実施形態と同様の構成を有し、麺類の風味を損なうことなく麺類を解凍でき、解凍完了と同時に料理が完成する本発明の特有の作用効果を奏することができる。
【００９６】
図７は、本発明の第四の実施形態による容器１９を示している。図７において、図６と同一の部分については同一の符号を付して重複する説明を省略する。
【００９７】
本実施形態による容器１９は、第一容器２と第二容器３と蓋４とを有し、第二容器３はその底部に脚部１８を有している。
【００９８】
第二容器３は、脚部１８を介して第一容器２によって支承されている。
【００９９】
第二容器３の側壁の上端部は環状嵌合部９になっており、蓋４の環状嵌合部１０が前記環状嵌合部９に嵌合している。
【０１００】
第二容器の環状嵌合部９と蓋の環状嵌合部１０の嵌合は、密封状態の嵌合でも非密封状態の嵌合でもよい。
【０１０１】
第二容器３の上端開口部の周縁部（本実施形態では環状嵌合部９）は、鍔状突起２０を有している。
【０１０２】
鍔状突起２０は、第一容器２の上端開口部の周縁部と係合し、第一容器２と蓋４または第二容器３の間の隙間を塞ぐようになっている。
【０１０３】
蓋４は、必要に応じて図７に示すような通気口２１を有するようにする。
【０１０４】
鍔状突起２０と第一容器２の上端開口部の周縁部が密封状態になっていない場合は、通気口２１は適宜省略することができる。
【０１０５】
通気口２１、あるいは、鍔状突起２０と第一容器２の上端開口部の非密封状態の嵌合、あるいは、前記両者により、蓋４と鍔状突起２０が第一容器２の上端開口部を密封することなく覆い塞ぐようになっている。
【０１０６】
本実施形態の容器１９においても、第二容器３の底面が麺つゆや解凍用水分１１の液面１１ａより高くなるように、第二容器３が（脚部１８を介して）第一容器２によって支承されている。
【０１０７】
この容器１９によれば、図７に示すように、電子レンジで加熱すると、麺つゆや解凍用水分１１から水蒸気１３が立ち上り、第二容器３の開口部８を通って麺類１２を暖めつつ水分を補給する。
【０１０８】
過剰な水蒸気１３は、蓋４の通気口２１、および、鍔状突起２０と第一容器２の上端開口部の周縁部の間から外部に流出する。これにより、容器１９内の圧力が過度に上昇することがない。
【０１０９】
本実施形態は、第二容器３の上端開口部の周縁部に鍔状突起２０が設けられている点が本発明の第三実施形態と相違する他は、第一実施形態や第三実施形態と同様の構成を有し、麺類の風味を損なうことなく麺類を解凍でき、解凍完了と同時に料理が完成する本発明の特有の作用効果を奏することができる。
【０１１０】
なお、容器１９は、脚部１８を適宜省略することができる。
【０１１１】
この場合、第二容器３は、鍔状突起２０を介して第一容器２によって支承される。
【０１１２】
図８は、図７に示した第四実施形態の変形例である。
【０１１３】
図８に示した容器２２は、鍔状突起２３が蓋４の周縁部に設けられている点で図６の容器１９と相違する他は、容器１９と全く同一の構成を有している。
【０１１４】
容器２２による作用効果も、容器１９と全く同様である。
【図面の簡単な説明】
【０１１５】
【図１】本発明の第一実施形態による冷凍麺類を電子レンジで調理するための容器の分解斜視図。
【図２】組み立てた状態の本発明の第一実施形態による容器の斜視図。
【図３】本発明の第一実施形態による容器の使用状態を示した縦断面図。
【図４】本発明の第二実施形態による容器の使用状態を示した縦断面図。
【図５】本発明の第二実施形態の一変形例によるによる容器の使用状態を示した縦断面図。
【図６】本発明の第三実施形態による容器の使用状態を示した縦断面図。
【図７】本発明の第四実施形態による容器の使用状態を示した縦断面図。
【図８】本発明の第四実施形態の変形例の縦断面図。
【符号の説明】
【０１１６】
１  容器
２  第一容器
３  第二容器
４  蓋
４ａ  第一の蓋
４ｂ  第二の蓋
５  上端開口部
６  環状嵌合部
７  上端開口部
８  開口部
９  環状嵌合部
１０  環状嵌合部
１１  麺つゆや解凍用水分１１
１１ａ  液面
１２  麺類
１３  水蒸気
１４  容器
１５  段部
１６  鍔部
１７  容器
１８  脚部
１９  容器
２０  鍔状突起
２１  通気口
２２  容器
２３  鍔状突起
２４  段部
２５  段部
【図１】
2006051088.tif 000003
【図２】
2006051088.tif 000004
【図３】
2006051088.tif 000005
【図４】
2006051088.tif 000006
【図５】
2006051088.tif 000007
【図６】
2006051088.tif 000008
【図７】
2006051088.tif 000009
【図８】
2006051088.tif 000010